(57)【特許請求の範囲】
【請求項１】
無線を使用して携帯しながら通信を行う携帯電話機であって、
ＩＤチップ付き電気機器の製品の製品本体に付設した粉末状のＩＤチップが備えた読み出し専用メモリに登録された各種の製品ＩＤ情報を読取るＩＤチップ読取り部と、前記ＩＤチップ付き電気機器の製品の前記ＩＤチップの読み出し専用メモリから読取った製品ＩＤ情報を編集する編集部と、前記ＩＤチップの読み出し専用メモリに登録された製品ＩＤ情報の内容を表示するための表示画面を配設した表示部と、前記ＩＤチップの読み出し専用メモリから読取った製品ＩＤ情報の送信を制御する通信制御部と、前記表示部を操作するための複数の操作ボタンを配設した操作部と、前記表示部を制御する表示制御部と、前記操作ボタンの操作を制御する操作制御部と、送受話部の音声を入出力する音声入出力部と、前記ＩＤチップの読み出し専用メモリから読取った製品ＩＤ情報を格納するメモ帳付きデータベースと、前記送受話部の音声入出力を制御する音声入出力制御部と、各種の制御を行う各種制御部と、携帯電話機を機能させる携帯電話機能部と、携帯電話機全体を制御する全体制御部と、携帯電話機全体に必要な電力を供給するための電源を制御する電源制御部とを有し、前記ＩＤチップ読取り部は、前記ＩＤチップの読み出し専用メモリから製品ＩＤ情報を電波で読取る機能を備え、前記編集部は、前記ＩＤチップの読み出し専用メモリから読取った製品ＩＤ情報を製品仕様一覧の形式及び電気機器一覧表の形式に編集する機能を備え、前記表示制御部は、編集された前記ＩＤチップ付き電気機器の製品の製品ＩＤ情報の内容を製品仕様一覧として前記表示部の表示画面に表示させる機能と、前記表示部の表示画面に表示されたメニューの中から製品ＩＤ情報読出し機能を前記操作部の操作ボタンで選択すると、前記メモ帳付きデータベースに格納された前記ＩＤチップ付き電気機器の製品の製品ＩＤ情報の電気機器一覧表を前記表示部の表示画面に表示させる機能とを備え、前記各種制御部は、編集された前記ＩＤチップ付き電気機器の製品の製品ＩＤ情報を前記メモ帳付きデータベースに格納する機能を備えたことを特徴とする電気機器製品ＩＤ読取り機能付き携帯電話機。
【請求項２】
上記ＩＤチップの読み出し専用メモリに登録された各種の製品ＩＤ情報は、上記ＩＤチップ付き電気機器の製品の製造メーカ名，製品名，型名，製造番号，消耗品名，消耗品の品番，消耗品の販売価格，オプション品名，オプション品の品番，オプション品の販売価格，購入年月日，購入店名などの情報を有している請求項１に記載の電気機器製品ＩＤ読取り機能付き携帯電話機。
【請求項３】
上記表示制御部は、電源をＯＮにすると、ＩＤチップ読取り機能，製品ＩＤ情報読出し機能を含む選択可能な各種の機能または選択可能な項目の一覧のメニューを上記表示部の表示画面に表示させる機能を備えている請求項１または２に記載の電気機器製品ＩＤ読取り機能付き携帯電話機。
【請求項４】
上記各種制御部は、上記表示部の表示画面に表示されたメニューの中からＩＤチップ読取り機能を上記操作部の操作ボタンで選択すると、上記ＩＤチップ読取り部を自動的にＯＮにセットする機能を備えている請求項１乃至３のいずれかに記載の電気機器製品ＩＤ読取り機能付き携帯電話機。
【請求項５】
上記表示制御部は、上記表示部の表示画面に表示された電気機器一覧表の中から参照したい上記ＩＤチップ付き電気機器の製品を上記操作部の操作ボタンで選択すると、選択された前記ＩＤチップ付き電気機器の製品の製品ＩＤ情報の内容を前記表示部の表示画面に表示させる機能を備えている請求項１乃至４のいずれかに記載の電気機器製品ＩＤ読取り機能付き携帯電話機。
【請求項６】
上記通信制御部は、上記ＩＤチップの読み出し専用メモリから読取った上記ＩＤチップ付き電気機器の製品の製品ＩＤ情報を必要に応じて指定した転送先に送信する機能を備えている請求項１乃至５のいずれかに記載の電気機器製品ＩＤ読取り機能付き携帯電話機。
【発明の詳細な説明】
【０００１】
【発明の属する技術分野】
本発明は、特に、ユーザが購入した製品管理用のＩＤチップ付き電気機器の製品の製品ＩＤ情報の管理に使用するのに最適な電気機器製品ＩＤ読取り機能付き携帯電話機に関するものである。
【０００２】
【従来の技術】
最近の日本国内においては、無線で携帯しながら通信するための携帯電話，ＰＨＳ（Ｐｅｒｓｏｎａｌ  Ｈａｎｄｙｐｈｏｎｅ  Ｓｙｓｔｅｍ）等の携帯電話機が社会に広く普及してきており、低年令から高年令までの広範囲の年令層の人が手軽に使える携帯電話機を所持し、携帯電話機には音声機能，録音機能，メール機能，ｉモード機能，モバイル機能，カメラ機能，ウェブ機能，その他の多種の機能が搭載されている。
【０００３】
従来、電気機器を販売する販売店において、ユーザがプリンタ，パソコン（ＰＣ），ファクシミリ（ＦＡＸ），複写機などのオフィス機器や電気掃除機，電気髭剃り器（シェーバ），照明器具などの家庭電化製品を購入すると、電気機器の製品とは別に取扱説明書，保証書，付属品などが添付され、一般に、電気機器の製品には型名に適合した製造メーカの指定する種々の消耗品やオプション品などがあることも知られており、ユーザは取扱説明書，保証書を紛失しないように大切に保管しておく必要があった。
【０００４】
【発明が解決しようとする課題】
ところが、現状では、ユーザが電気機器の製品の取扱説明書の保管場所を忘れたり、電気機器の製品の取扱説明書を紛失してしまうことも多く、ユーザが電気機器の製品の取扱説明書を紛失した場合には、電気機器の製品の型名に適合した製造メーカの指定する消耗品やオプション品にどのようなものがあるのかを取扱説明書を参照して調べることができなかった。
【０００５】
また、ユーザが電気機器の製品の消耗品やオプション品を購入する場合に、例えば、電気機器の製品が電気掃除機であれば、電気掃除機の消耗品として集塵用の紙パックなどが知られているが、電気掃除機の型名に適合した製造メーカの指定する紙パックを使用しなければならず、ユーザが電気掃除機の型名に適合しない紙パックを間違えて購入してしまうことがあり、紙パックの品番が電気掃除機の型名に適合しているかをあらかじめチェックしておく必要があった。
【０００６】
本発明の目的は、上述する問題点に対処して、ＩＤチップ読取り部を購入したＩＤチップ付き電気機器の製品の製品本体に付設された読み出し専用メモリを備えたＩＤチップに近付ければ、ＩＤチップ読取り部がＩＤチップ付き電気機器の製品の製品本体に付設したＩＤチップの読み出し専用メモリに登録された各種の製品ＩＤ情報を電波で読取り、編集部がＩＤチップの読み出し専用メモリから読取ったＩＤチップ付き電気機器の製品の製品ＩＤ情報を製品仕様一覧の形式及び電気機器一覧表の形式に編集し、表示制御部が編集されたＩＤチップ付き電気機器の製品の製品ＩＤ情報の内容を製品仕様一覧として表示部の表示画面に表示させ、各種制御部が編集されたＩＤチップ付き電気機器の製品の製品ＩＤ情報をメモ帳付きデータベースに格納し、購入したＩＤチップ付き電気機器の製品の製品ＩＤ情報をメモ帳付きデータベースにより自己管理し、ユーザが購入したＩＤチップ付き電気機器の製品の取扱説明書を紛失してしまった場合でも、ユーザの必要に応じてＩＤチップ付き電気機器の製品の製品ＩＤ情報をメモ帳付きデータベースから読出して容易に確認することが可能な電気機器製品ＩＤ読取り機能付き携帯電話機を提供することにある。
【０００７】
【課題を解決するための手段】
本発明の電気機器製品ＩＤ読取り機能付き携帯電話機は、無線を使用して携帯しながら通信を行う携帯電話機であって、ＩＤチップ付き電気機器の製品の製品本体に付設した粉末状のＩＤチップが備えた読み出し専用メモリに登録された各種の製品ＩＤ情報を読取るＩＤチップ読取り部と、前記ＩＤチップ付き電気機器の製品の前記ＩＤチップの読み出し専用メモリから読取った製品ＩＤ情報を編集する編集部と、前記ＩＤチップの読み出し専用メモリに登録された製品ＩＤ情報の内容を表示するための表示画面を配設した表示部と、前記ＩＤチップの読み出し専用メモリから読取った製品ＩＤ情報の送信を制御する通信制御部と、前記表示部を操作するための複数の操作ボタンを配設した操作部と、前記表示部を制御する表示制御部と、前記操作ボタンの操作を制御する操作制御部と、送受話部の音声を入出力する音声入出力部と、前記ＩＤチップの読み出し専用メモリから読取った製品ＩＤ情報を格納するメモ帳付きデータベースと、前記送受話部の音声入出力を制御する音声入出力制御部と、各種の制御を行う各種制御部と、携帯電話機を機能させる携帯電話機能部と、携帯電話機全体を制御する全体制御部と、携帯電話機全体に必要な電力を供給するための電源を制御する電源制御部とを有し、前記ＩＤチップ読取り部が、前記ＩＤチップの読み出し専用メモリから製品ＩＤ情報を電波で読取る機能を備え、前記編集部が、前記ＩＤチップの読み出し専用メモリから読取った製品ＩＤ情報を製品仕様一覧の形式及び電気機器一覧表の形式に編集する機能を備え、前記表示制御部が、編集された前記ＩＤチップ付き電気機器の製品の製品ＩＤ情報の内容を製品仕様一覧として前記表示部の表示画面に表示させる機能と、前記表示部の表示画面に表示されたメニューの中から製品ＩＤ情報読出し機能を前記操作部の操作ボタンで選択すると、前記メモ帳付きデータベースに格納された前記ＩＤチップ付き電気機器の製品の製品ＩＤ情報の電気機器一覧表を前記表示部の表示画面に表示させる機能とを備え、前記各種制御部が、編集された前記ＩＤチップ付き電気機器の製品の製品ＩＤ情報を前記メモ帳付きデータベースに格納する機能を備えたことを特徴とする構成を有するものである。
【０００８】
本発明の電気機器製品ＩＤ読取り機能付き携帯電話機は、上記ＩＤチップの読み出し専用メモリに登録された各種の製品ＩＤ情報が、上記ＩＤチップ付き電気機器の製品の製造メーカ名，製品名，型名，製造番号，消耗品名，消耗品の品番，消耗品の販売価格，オプション品名，オプション品の品番，オプション品の販売価格，購入年月日，購入店名などの情報を有している。
【０００９】
本発明の電気機器製品ＩＤ読取り機能付き携帯電話機は、上記表示制御部が、電源をＯＮにすると、ＩＤチップ読取り機能，製品ＩＤ情報読出し機能を含む選択可能な各種の機能または選択可能な項目の一覧のメニューを上記表示部の表示画面に表示させる機能を備えている。
【００１０】
本発明の電気機器製品ＩＤ読取り機能付き携帯電話機は、上記各種制御部が、上記表示部の表示画面に表示されたメニューの中からＩＤチップ読取り機能を上記操作部の操作ボタンで選択すると、上記ＩＤチップ読取り部を自動的にＯＮにセットする機能を備えている。
【００１２】
本発明の電気機器製品ＩＤ読取り機能付き携帯電話機は、上記表示制御部が、上記表示部の表示画面に表示された電気機器一覧表の中から参照したい上記ＩＤチップ付き電気機器の製品を上記操作部の操作ボタンで選択すると、選択された前記ＩＤチップ付き電気機器の製品の製品ＩＤ情報の内容を前記表示部の表示画面に表示させる機能を備えている。
【００１３】
本発明の電気機器製品ＩＤ読取り機能付き携帯電話機は、上記通信制御部が、上記ＩＤチップの読み出し専用メモリから読取った上記ＩＤチップ付き電気機器の製品の製品ＩＤ情報を必要に応じて指定した転送先に送信する機能を備えている。
【００１４】
【発明の実施の形態】
以下、本発明の実施の形態を図面に基づいて詳細に説明する。
図１は本発明の実施の形態に係わる折り畳み型の電気機器製品ＩＤ読取り機能付き携帯電話機を示す正面図である。
本発明の電気機器製品ＩＤ読取り機能付き携帯電話機１は、図１に示すように、表示画面１１，受話器１２，伸縮式アンテナ１３などを配設した表示パネル１４からなる表示部１０Ａと、複数のプッシュ式の操作ボタン１５，送話器１６などを配設した操作パネル１７からなる操作部１０Ｂとを備え、表示パネル１４にはヒンジの円筒形のバレル１４ａが一体に形成され、操作パネル１７には表示パネル１４のバレル１４ａに係合するヒンジの円筒形のバレル１７ａが一体に形成され、表示パネル１４のバレル１４ａと操作パネル１７のバレル１７ａとはヒンジピン１８を介して揺動自在に連結されている。
【００１５】
図２は本発明の実施の形態に係わる折り畳みタイプの電気機器製品ＩＤ読取り機能付き携帯電話機を示すシステム構成図である。
本発明の電気機器製品ＩＤ読取り機能付き携帯電話機１は、図２に示すように、製品管理用のＩＤチップ付き電気機器２の製品の製品本体に付設したＩＤチップ３が備えた読み出し専用メモリであるＲＯＭ（図示せず）に登録された各種の製品ＩＤ情報を読取るＩＤチップ読取り部１０Ｃと、ＩＤチップ付き電気機器２の製品のＩＤチップ３のＲＯＭから読取られた製品ＩＤ情報を編集する編集部１０Ｄと、ＩＤチップ３のＲＯＭに登録された製品ＩＤ情報の内容を表示するための表示画面１１を配設した表示部１０Ａと、ＩＤチップ３のＲＯＭから読取られた製品ＩＤ情報の送信を制御する通信制御部１０Ｅと、表示部１０Ａを操作するための複数のプッシュ式の操作ボタン１５を配設した操作部１０Ｂと、表示部１０Ａを制御する表示制御部１０Ｆと、操作ボタン１５の操作を制御する操作制御部１０Ｇと、送受話部の音声を入出力する音声入出力部１０Ｈと、ＩＤチップ３のＲＯＭから読取られた製品ＩＤ情報を格納するメモ帳付きデータベース（ＤＢ）１０Ｉと、送受話部の音声入出力を制御する音声入出力制御部１０Ｊと、各種の制御を行う各種制御部１０Ｋと、携帯電話機を機能させる携帯電話機能部１０Ｌと、携帯電話機全体を制御する全体制御部１０Ｍと、携帯電話機全体に必要な電力を供給するための電源を制御する電源制御部１０Ｎとを有している。
【００１６】
電気機器製品ＩＤ読取り機能付き携帯電話機１の全体制御部１０Ｍには、図２に示すように、ＩＤチップ読取り部１０Ｃ、編集部１０Ｄ、表示部１０Ａ、通信制御部１０Ｅ、操作部１０Ｂ、表示制御部１０Ｆ、操作制御部１０Ｇ、音声入出力部１０Ｈ、メモ帳付きデータベース１０Ｉ、音声入出力制御部１０Ｊ、各種制御部１０Ｋ、携帯電話機能部１０Ｌ、電源制御部１０Ｎがそれぞれ接続されている。
【００１７】
本発明の電気機器製品ＩＤ読取り機能付き携帯電話機１は、ＩＤチップ読取り部１０Ｃが、ＩＤチップ付き電気機器２の製品の製品本体に付設した粉末状のＩＤチップ３のＲＯＭから製品ＩＤ情報を電波で読取る機能を備え、編集部１０Ｄが、ＩＤチップ３のＲＯＭから読取ったＩＤチップ付き電気機器２の製品の製品ＩＤ情報を製品仕様一覧の形式及び電気機器一覧表の形式に編集する機能を備え、表示制御部１０Ｆが、編集されたＩＤチップ付き電気機器２の製品の製品ＩＤ情報の内容を製品仕様一覧として表示部１０Ａの表示画面１１に表示させる機能を備え、各種制御部１０Ｋが、編集されたＩＤチップ付き電気機器２の製品の製品ＩＤ情報をメモ帳付きデータベース１０Ｉに格納する機能を備えている。
【００１８】
本発明の電気機器製品ＩＤ読取り機能付き携帯電話機１は、ＩＤチップ３のＲＯＭに登録された各種の製品ＩＤ情報が、ＩＤチップ付き電気機器２の製品の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００１９】
本発明の電気機器製品ＩＤ読取り機能付き携帯電話機１は、表示制御部１０Ｆが、電源をＯＮにすると、ＩＤチップ読取り機能，製品ＩＤ情報読出し機能を含む選択可能な各種の機能または選択可能な項目の一覧のメニューを表示部１０Ａの表示画面１１に表示させる機能を備えている。
【００２０】
本発明の電気機器製品ＩＤ読取り機能付き携帯電話機１は、各種制御部１０Ｋが、表示部１０Ａの表示画面１１に表示されたメニューの中からＩＤチップ読取り機能を操作部１０Ｂの操作ボタン１５で選択すると、ＩＤチップ読取り部１０Ｃを自動的にＯＮにセットする機能を備えている。
【００２１】
本発明の電気機器製品ＩＤ読取り機能付き携帯電話機１は、表示制御部１０Ｆが、表示部１０Ａの表示画面１１に表示されたメニューの中から製品ＩＤ情報読出し機能を操作部１０Ｂの操作ボタン１５で選択すると、メモ帳付きデータベース１０Ｉに格納されたＩＤチップ付き電気機器２の製品の製品ＩＤ情報の電気機器一覧表を表示部１０Ａの表示画面１１に表示させる機能を備えている。
【００２２】
本発明の電気機器製品ＩＤ読取り機能付き携帯電話機１は、表示制御部１０Ｆが、表示部１０Ａの表示画面１１に表示された電気機器一覧表の中から参照したいＩＤチップ付き電気機器２の製品を操作部１０Ｂの操作ボタン１５で選択すると、選択されたＩＤチップ付き電気機器２の製品の製品ＩＤ情報の内容を表示部１０Ａの表示画面１１に表示させる機能を備えている。
【００２３】
本発明の電気機器製品ＩＤ読取り機能付き携帯電話機１は、通信制御部１０Ｅが、ＩＤチップ３のＲＯＭから読取ったＩＤチップ付き電気機器２の製品の製品ＩＤ情報を必要に応じて指定した転送先に送信する機能を備えている。
【００２４】
本発明の電気機器製品ＩＤ読取り機能付き携帯電話機１は、ＩＤチップ読取り部１０ＣがＩＤチップ付き電気機器２の製品の製品本体に付設したＩＤチップ３のＲＯＭに登録された製品ＩＤ情報を正常に読取った場合に、編集部１０ＤがＩＤチップ３のＲＯＭから読取ったＩＤチップ付き電気機器２の製品の製品ＩＤ情報を編集する機能を備えている。
【００２５】
本発明の電気機器製品ＩＤ読取り機能付き携帯電話機１は、編集したＩＤチップ付き電気機器２の製品の製品ＩＤ情報を表示部１０Ａと通信制御部１０Ｅとメモ帳付きデータベース１０Ｉに出力する機能を備えている。
【００２６】
本発明の電気機器製品ＩＤ読取り機能付き携帯電話機１は、ＩＤチップ読取り部１０ＣがＩＤチップ付き電気機器２の製品の製品本体に付設したＩＤチップ３のＲＯＭに登録された製品ＩＤ情報を正常に読取っていない場合に、ＩＤチップ３のＲＯＭから読取ったＩＤチップ付き電気機器２の製品の製品ＩＤ情報の読取りのエラー情報を表示部１０Ａに出力し、エラー情報の内容を表示部１０Ａの表示画面１１に表示させる機能を備えている。
【００２７】
本発明の電気機器製品ＩＤ読取り機能付き携帯電話機１は、編集したＩＤチップ付き電気機器２の製品の製品ＩＤ情報を表示する場合に、編集したＩＤチップ付き電気機器２の製品の製品ＩＤ情報の内容を表示部１０Ａの表示画面１１に表示させる機能を備えている。
【００２８】
本発明の電気機器製品ＩＤ読取り機能付き携帯電話機１は、編集したＩＤチップ付き電気機器２の製品の製品ＩＤ情報を送信指定する場合に、編集したＩＤチップ付き電気機器２の製品の製品ＩＤ情報を通信制御部１０Ｅから指定した転送先のパソコンに送信する機能を備えている。
【００２９】
本発明の電気機器製品ＩＤ読取り機能付き携帯電話機１は、編集したＩＤチップ付き電気機器２の製品の製品ＩＤ情報を格納する場合に、編集したＩＤチップ付き電気機器２の製品の製品ＩＤ情報をメモ帳付きデータベース１０Ｉに格納する機能を備えている。
【００３０】
図３は本発明の電気機器製品ＩＤ読取り機能付き携帯電話機により管理するＩＤチップ付き電気機器の一例を示す構成図、（ａ）はＩＤチップ付き電気機器の斜視図、（ｂ）はＩＤチップ付き電気機器の平面図である。
ＩＤチップ付き電気機器２は、図３（ａ），（ｂ）に示すように、使用する目的に応じた所望の仕事を電気エネルギーを用いて行うために製造された製品としてのオフィス機器であるプリンタ４からなり、プリンタ４に付属する型名に適合した消耗品，オプション品などを備えている。
【００３１】
ＩＤチップ付き電気機器２は、図３（ａ），（ｂ）に示すように、プリンタ４の製品本体となるプリンタ本体４０に各種の製品ＩＤ情報を登録したＲＯＭを備えた粉末状のＩＤチップ３が付設されている。
【００３２】
ＩＤチップ付き電気機器２は、ＩＤチップ３のＲＯＭに登録された各種の製品ＩＤ情報がプリンタ４の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００３３】
ＩＤチップ付き電気機器２のプリンタ４のプリンタ本体４０には、図３（ａ），（ｂ）に示すように、上壁４１の適当な箇所にＲＯＭを備えたＩＤチップ３が埋め込んで設けられている。
【００３４】
ＩＤチップ付き電気機器２のプリンタ４のプリンタ本体４０の上壁４１の表面には、図３（ａ），（ｂ）に示すように、ＲＯＭを備えたＩＤチップ３を埋め込まれていることを示す表示４２が印刷されている。
【００３５】
ＩＤチップ付き電気機器２のプリンタ４のプリンタ本体４０の上壁４１の表面には、図３（ａ），（ｂ）に示すように、ＲＯＭを備えたＩＤチップ３の埋め込まれている場所を示す表示４３が印刷されている。
【００３６】
一般に、プリンタ４の機種としては、感熱式プリンタ，熱転写式プリンタ，ワイヤドットプリンタ，インクジェットプリンタ，レーザプリンタなどが知られている。
【００３７】
感熱式プリンタは、使用するに従って消耗する消耗品として感熱紙などが取り揃えられている。
また、熱転写式プリンタ，ワイヤドットプリンタは、使用するに従って消耗する消耗品としてインクリボンなどが取り揃えられている。
さらに、インクジェットプリンタは、使用するに従って消耗する消耗品としてインクカートリッジなどが取り揃えられている。
【００３８】
レーザプリンタは、使用するに従って消耗する消耗品としてトナーカートリッジ，廃トナーボックスなどが取り揃えられている。
また、レーザプリンタは、ユーザの必要に応じて選択・購入可能な別売りのオプション品として拡張機器であるプリンタ増設メモリ，拡張給紙ユニット，両面印刷ユニットなどが取り揃えられている。
【００３９】
ＩＤチップ付き電気機器２のプリンタ４のプリンタ本体４０に埋め込まれるＩＤチップ３は、粉末状ＩＣ（集積回路）チップからなり、この粉末状ＩＣチップは最大３８桁の数字を記録することが可能である。
【００４０】
ＩＤチップ３は、縦×横０．４ｍｍ角，厚さ０．０６ｍｍで、１２８ビットのＲＯＭ（Ｒｅａｄ  Ｏｎｌｙ  Ｍｅｍｏｒｙ;読み出し専用メモリ）を備えている。
【００４１】
図４は本発明の電気機器製品ＩＤ読取り機能付き携帯電話機により管理するＩＤチップ付き電気機器の一例を示す背面図である。
ＩＤチップ付き電気機器２は、図４に示すように、プリンタ４のプリンタ本体４０に各種の製品ＩＤ情報を登録したＲＯＭを備えた粉末状のＩＤチップ３が付設されている。
【００４２】
ＩＤチップ付き電気機器２は、ＩＤチップ３のＲＯＭに登録された各種の製品ＩＤ情報が、プリンタ４の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００４３】
ＩＤチップ付き電気機器２のプリンタ４のプリンタ本体４０は、図４に示すように、バックプレート４４を有し、バックプレート４４の表側面４４ａには適当な箇所に銘板５が貼着されている。
【００４４】
銘板５は、図４に示すように、プレート本体５０を有し、銘板５のプレート本体５０の一側縁５０ａと上縁５０ｂとのコーナー部５１にはＲＯＭを備えたＩＤチップ３が埋め込んで設けられている。
【００４５】
銘板５のプレート本体５０の表面５２には、図４に示すように、ＲＯＭを備えたＩＤチップ３を埋め込まれていることを示す表示５３が印刷されている。
【００４６】
銘板５のプレート本体５０の表面５２には、図４に示すように、ＲＯＭを備えたＩＤチップ３の埋め込まれている場所を示す表示５４が印刷されている。
【００４７】
銘板５のプレート本体５０の表面５２には、図４に示すように、プリンタ４の製品情報である製品名，製造メーカ名，型名，製造番号などを示す表示５５が印刷されている。
【００４８】
図５は本発明の電気機器製品ＩＤ読取り機能付き携帯電話機により管理するＩＤチップ付き電気機器の一例を示す構成図、（ａ）はＩＤチップ付き電気機器を示す斜視図、（ｂ）はＩＤチップ付き電気機器を示す平面図である。
ＩＤチップ付き電気機器２は、図５（ａ），（ｂ）に示すように、使用する目的に応じた所望の仕事を電気エネルギーを用いて行うために製造された製品としてのオフィス機器であるノート型パソコン（ＰＣ）６からなり、ノート型パソコン６に付属する型名に適合した消耗品，オプション品などを備えている。
【００４９】
ＩＤチップ付き電気機器２は、図５（ａ），（ｂ）に示すように、ノート型パソコン６の製品本体となるパソコン本体６０に各種の製品ＩＤ情報を登録したＲＯＭを備えた粉末状のＩＤチップ３が付設されている。
【００５０】
ＩＤチップ付き電気機器２は、ＩＤチップ３のＲＯＭに登録された各種の製品ＩＤ情報が、ノート型パソコン６の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００５１】
ＩＤチップ付き電気機器２のノート型パソコン６のパソコン本体６０には、図５（ａ），（ｂ）に示すように、液晶パネル６１の適当な箇所にＲＯＭを備えたＩＤチップ３が埋め込んで設けられている。
【００５２】
ＩＤチップ付き電気機器２のノート型パソコン６のパソコン本体６０の液晶パネル６１の表面には、図５（ａ），（ｂ）に示すように、ＲＯＭを備えたＩＤチップ３を埋め込まれていることを示す表示６２が印刷されている。
【００５３】
ＩＤチップ付き電気機器２のノート型パソコン６のパソコン本体６０の液晶パネル６１の表面には、図５（ａ），（ｂ）に示すように、ＲＯＭを備えたＩＤチップ３の埋め込まれている場所を示す表示６３が印刷されている。
【００５４】
ノート型パソコン６は、使用するに従って消耗する消耗品として消耗品としてバッテリパックなどが取り揃えられている。
また、ノート型パソコン６は、ユーザの必要に応じて選択・購入可能な別売りのオプション品として拡張機器である増設メモリ，外部記憶装置などが取り揃えられている。
【００５５】
図６は本発明の電気機器製品ＩＤ読取り機能付き携帯電話機により管理するＩＤチップ付き電気機器の一例を示す底面図である。
ＩＤチップ付き電気機器２は、図６に示すように、ノート型パソコン６のパソコン本体６０に各種の製品ＩＤ情報を登録したＲＯＭを備えた粉末状のＩＤチップ３が付設されている。
【００５６】
ＩＤチップ付き電気機器２は、ＩＤチップ３のＲＯＭに登録された各種の製品ＩＤ情報が、ノート型パソコン６の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００５７】
ＩＤチップ付き電気機器２のノート型パソコン６のパソコン本体６０の底面６４には、図６に示すように、適当な箇所に銘板５が貼着されている。
【００５８】
銘板５は、図６に示すように、プレート本体５０を有し、銘板５のプレート本体５０の一側縁５０ａと上縁５０ｂとのコーナー部５１にはＲＯＭを備えたＩＤチップ３が埋め込んで設けられている。
【００５９】
銘板５のプレート本体５０の表面５２には、図６に示すように、ＲＯＭを備えたＩＤチップ３を埋め込まれていることを示す表示５３が印刷されている。
【００６０】
銘板５のプレート本体５０の表面５２には、図６に示すように、ＲＯＭを備えたＩＤチップ３の埋め込まれている場所を示す表示５４が印刷されている。
【００６１】
銘板５のプレート本体５０の表面５２には、図６に示すように、ノート型パソコン６の製品情報である製品名，製造メーカ名，型名，製造番号などを示す表示５５が印刷されている。
【００６２】
図７は本発明の電気機器製品ＩＤ読取り機能付き携帯電話機により管理するＩＤチップ付き電気機器の一例を示す平面図である。
ＩＤチップ付き電気機器２は、図７に示すように、使用する目的に応じた所望の仕事を電気エネルギーを用いて行うために製造された製品としての家庭電化製品である電気掃除機７からなり、電気掃除機７に付属する型名に適合した消耗品，オプション品などを備えている。
【００６３】
ＩＤチップ付き電気機器２は、図７に示すように、電気掃除機７の製品本体となる掃除機本体７０に各種の製品ＩＤ情報を登録したＲＯＭを備えた粉末状のＩＤチップ３が付設されている。
【００６４】
ＩＤチップ付き電気機器２は、ＩＤチップ３のＲＯＭに登録された各種の製品ＩＤ情報が、電気掃除機７の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００６５】
ＩＤチップ付き電気機器２の電気掃除機７の掃除機本体７０には、図７に示すように、上壁７１の適当な箇所にＲＯＭを備えたＩＤチップ３が埋め込んで設けられている。
【００６６】
ＩＤチップ付き電気機器２の電気掃除機７の掃除機本体７０の上壁７１の表面には、図７に示すように、ＲＯＭを備えたＩＤチップ３を埋め込まれていることを示す表示７２が印刷されている。
【００６７】
ＩＤチップ付き電気機器２の電気掃除機７の掃除機本体７０の上壁７１の表面には、図７に示すように、ＲＯＭを備えたＩＤチップ３の埋め込まれている場所を示す表示７３が印刷されている。
【００６８】
電気掃除機７は、使用するに従って消耗する消耗品として集塵用の紙パックなどが取り揃えられている。
また、電気掃除機７は、ユーザの必要に応じて選択・購入可能な別売りのオプション品として各種のブラシなどが取り揃えられている。
【００６９】
図８は本発明の電気機器製品ＩＤ読取り機能付き携帯電話機により管理するＩＤチップ付き電気機器を示す平面図である。
ＩＤチップ付き電気機器２は、図８に示すように、電気掃除機７の掃除機本体７０に各種の製品ＩＤ情報を登録したＲＯＭを備えた粉末状のＩＤチップ３が付設されている。
【００７０】
ＩＤチップ付き電気機器２は、ＩＤチップ３のＲＯＭに登録された各種の製品ＩＤ情報が、電気掃除機７の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００７１】
ＩＤチップ付き電気機器２の電気掃除機７の掃除機本体７０の上面７４には、図８に示すように、適当な箇所に銘板５が貼着されている。
【００７２】
銘板５は、図８に示すように、プレート本体５０を有し、銘板５のプレート本体５０の一側縁５０ａと上縁５０ｂとのコーナー部５１にはＲＯＭを備えたＩＤチップ３が埋め込んで設けられている。
【００７３】
銘板５のプレート本体５０の表面５２には、図８に示すように、ＲＯＭを備えたＩＤチップ３を埋め込まれていることを示す表示５３が印刷されている。
【００７４】
銘板５のプレート本体５０の表面５２には、図８に示すように、ＲＯＭを備えたＩＤチップ３の埋め込まれている場所を示す表示５４が印刷されている。
【００７５】
銘板５のプレート本体５０の表面５２には、図８に示すように、電気掃除機７の製品情報である製品名，製造メーカ名，型名，製造番号などを示す表示５５が印刷されている。
【００７６】
図９は本発明の電気機器製品ＩＤ読取り機能付き携帯電話機により管理するＩＤチップ付き電気機器を示す正面図である。
ＩＤチップ付き電気機器２は、図９に示すように、使用する目的に応じた所望の仕事を電気エネルギーを用いて行うために製造された製品としての家庭電化製品である電気髭剃り器（シェーバ）８からなり、電気髭剃り器８に付属する型名に適合した消耗品，オプション品などを備えている。
【００７７】
ＩＤチップ付き電気機器２は、図９に示すように、電気髭剃り器８の製品本体となる髭剃り器本体８０に各種の製品ＩＤ情報を登録したＲＯＭを備えた粉末状のＩＤチップ３が付設されている。
【００７８】
ＩＤチップ付き電気機器２は、ＩＤチップ３のＲＯＭに登録された各種の製品ＩＤ情報が、電気髭剃り器８の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００７９】
ＩＤチップ付き電気機器２の電気髭剃り器８の髭剃り器本体８０には、図９に示すように、前壁８１の適当な箇所にＲＯＭを備えたＩＤチップ３が埋め込んで設けられている。
【００８０】
ＩＤチップ付き電気機器２の電気髭剃り器８の髭剃り器本体８０の前壁８１の表面には、図９に示すように、ＲＯＭを備えたＩＤチップ３を埋め込まれていることを示す表示８２が印刷されている。
【００８１】
ＩＤチップ付き電気機器２の電気髭剃り器８の髭剃り器本体８０の前壁８１の表面には、図９に示すように、ＲＯＭを備えたＩＤチップ３の埋め込まれている場所を示す表示８３が印刷されている。
【００８２】
電気髭剃り器８は、使用するに従って消耗する消耗品として替刃などが取り揃えられている。
また、電気髭剃り器８は、ユーザの必要に応じて選択・購入可能な別売りのオプション品として国外用の各種のプラグなどが取り揃えられている。
【００８３】
次に、本発明の電気機器製品ＩＤ読取り機能付き携帯電話機によるＩＤチップ付き電気機器の製品の製品ＩＤ情報の管理方法を説明する。
電気機器製品ＩＤ読取り機能付き携帯電話機１を所持したユーザは、ＩＤチップ付き電気機器２のプリンタ４，ノート型パソコン６，電気掃除機７，電気髭剃り器８などの製品を販売店で購入した場合に、まず、ユーザが電気機器製品ＩＤ読取り機能付き携帯電話機１の電源をＯＮにすると、ＩＤチップ読取り機能，製品ＩＤ情報表示機能を含む選択可能な各種の機能または選択可能な項目の一覧のメニューが電気機器製品ＩＤ読取り機能付き携帯電話機１の表示部１０Ａの表示画面１１に表示される。
【００８４】
次いで、ユーザが電気機器製品ＩＤ読取り機能付き携帯電話機１の表示部１０Ａの表示画面１１に表示されたメニューの中からＩＤチップ読取り機能を操作部１０Ｂの操作ボタン１５により選択すると、電気機器製品ＩＤ読取り機能付き携帯電話機１のＩＤチップ読取り部１０Ｃが自動的にＯＮにセットされる。
【００８５】
その後、ユーザが電気機器製品ＩＤ読取り機能付き携帯電話機１のＩＤチップ読取り部１０Ｃを購入したＩＤチップ付き電気機器２のプリンタ４のプリンタ本体４０に付設したＩＤチップ３に近付けると、電気機器製品ＩＤ読取り機能付き携帯電話機１のＩＤチップ読取り部１０ＣがＩＤチップ付き電気機器２のプリンタ４のプリンタ本体４０に付設したＩＤチップ３のＲＯＭに登録された製品ＩＤ情報を電波で読取り、電気機器製品ＩＤ読取り機能付き携帯電話機１の編集部１０ＤがＩＤチップ付き電気機器２のプリンタ４のＩＤチップ３のＲＯＭから読取った製品ＩＤ情報を製品仕様一覧の形式に編集し、編集したＩＤチップ付き電気機器２のプリンタ４の製品ＩＤ情報の内容を電気機器製品ＩＤ読取り機能付き携帯電話機１の表示部１０Ａの表示画面１１に表示し、編集したＩＤチップ付き電気機器２のプリンタ４の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を電気機器製品ＩＤ読取り機能付き携帯電話機１のメモ帳付きデータベース１０Ｉに整理して格納する。
【００８６】
また、ユーザが電気機器製品ＩＤ読取り機能付き携帯電話機１のＩＤチップ読取り部１０Ｃを購入したＩＤチップ付き電気機器２のノート型パソコン６のパソコン本体６０に付設したＩＤチップ３に近付けると、電気機器製品ＩＤ読取り機能付き携帯電話機１のＩＤチップ読取り部１０ＣがＩＤチップ付き電気機器２のノート型パソコン６のパソコン本体６０に付設したＩＤチップ３のＲＯＭに登録された製品ＩＤ情報を電波で読取り、電気機器製品ＩＤ読取り機能付き携帯電話機１の編集部１０ＤがＩＤチップ付き電気機器２のノート型パソコン６のＩＤチップ３のＲＯＭから読取った製品ＩＤ情報を製品仕様一覧の形式に編集し、編集したＩＤチップ付き電気機器２のノート型パソコン６の製品ＩＤ情報の内容を電気機器製品ＩＤ読取り機能付き携帯電話機１の表示部１０Ａの表示画面１１に表示し、編集したＩＤチップ付き電気機器２のノート型パソコン６の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を電気機器製品ＩＤ読取り機能付き携帯電話機１のメモ帳付きデータベース１０Ｉに整理して格納する。
【００８７】
また、ユーザが電気機器製品ＩＤ読取り機能付き携帯電話機１のＩＤチップ読取り部１０Ｃを購入したＩＤチップ付き電気機器２の電気掃除機７の掃除機本体７０に付設したＩＤチップ３に近付けると、電気機器製品ＩＤ読取り機能付き携帯電話機１のＩＤチップ読取り部１０ＣがＩＤチップ付き電気機器２の電気掃除機７の掃除機本体７０に付設したＩＤチップ３のＲＯＭに登録された製品ＩＤ情報を電波で読取り、電気機器製品ＩＤ読取り機能付き携帯電話機１の編集部１０ＤがＩＤチップ付き電気機器２の電気掃除機７のＩＤチップ３のＲＯＭから読取った製品ＩＤ情報を製品仕様一覧の形式に編集し、編集したＩＤチップ付き電気機器２の電気掃除機７の製品ＩＤ情報の内容を電気機器製品ＩＤ読取り機能付き携帯電話機１の表示部１０Ａの表示画面１１に表示し、編集したＩＤチップ付き電気機器２の電気掃除機７の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を電気機器製品ＩＤ読取り機能付き携帯電話機１のメモ帳付きデータベース１０Ｉに整理して格納する。
【００８８】
さらに、ユーザが電気機器製品ＩＤ読取り機能付き携帯電話機１のＩＤチップ読取り部１０Ｃを購入したＩＤチップ付き電気機器２の電気髭剃り器８の髭剃り器本体８０に付設したＩＤチップ３に近付けると、電気機器製品ＩＤ読取り機能付き携帯電話機１のＩＤチップ読取り部１０ＣがＩＤチップ付き電気機器２の電気髭剃り器８の髭剃り器本体８０に付設したＩＤチップ３のＲＯＭに登録された製品ＩＤ情報を電波で読取り、電気機器製品ＩＤ読取り機能付き携帯電話機１の編集部１０ＤがＩＤチップ付き電気機器２の電気髭剃り器８のＩＤチップ３のＲＯＭから読取った製品ＩＤ情報を製品仕様一覧の形式に編集し、編集したＩＤチップ付き電気機器２の電気髭剃り器８の製品ＩＤ情報の内容を電気機器製品ＩＤ読取り機能付き携帯電話機１の表示部１０Ａの表示画面１１に表示し、編集したＩＤチップ付き電気機器２の電気髭剃り器８の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を電気機器製品ＩＤ読取り機能付き携帯電話機１のメモ帳付きデータベース１０Ｉに整理して格納する。
【００８９】
図１０は本発明の電気機器製品ＩＤ読取り機能付き携帯電話機の表示部の表示画面に表示されたＩＤチップ付き電気機器の製品の製品ＩＤ情報の一例を示す説明図である。
電気機器製品ＩＤ読取り機能付き携帯電話機１の表示部１０Ａの表示画面１１には、図１０に示すように、ＩＤチップ付き電気機器２のプリンタ４のプリンタ本体４０に付設したＩＤチップ３のＲＯＭから読取った製品ＩＤ情報である製品名，製造メーカ名，型名，製造番号，消耗品名，消耗品の品番，消耗品の販売価格，オプション品名，オプション品の品番，オプション品の販売価格，購入年月日，購入店名などのプリンタ仕様一覧が編集部１０Ｄにより編集された状態で表示される。
【００９０】
図１１は本発明の電気機器製品ＩＤ読取り機能付き携帯電話機の表示部の表示画面に表示されたＩＤチップ付き電気機器の製品の製品ＩＤ情報の一例を示す説明図であり、（ａ）は電気機器製品ＩＤ読取り機能付き携帯電話機の表示部の表示画面に表示されたＩＤチップ付き電気機器の製品の製品ＩＤ情報の電気機器一覧表を示す図、（ｂ）は電気機器製品ＩＤ読取り機能付き携帯電話機の表示部の表示画面に表示されたＩＤチップ付き電気機器の製品の製品ＩＤ情報の製品仕様一覧を示す図である。
ユーザが電気機器製品ＩＤ読取り機能付き携帯電話機１の表示部１０Ａの表示画面１１に表示されたメニューの中からＩＤチップ付き電気機器２の製品の製品ＩＤ情報を表示する製品ＩＤ情報表示機能を操作部１０Ｂの操作ボタン１５により選択すると、電気機器製品ＩＤ読取り機能付き携帯電話機１の表示部１０Ａの表示画面１１には、図１１（ａ）に示すように、メモ帳付きデータベース１０Ｉに格納したＩＤチップ付き電気機器２の製品の製品ＩＤ情報の製品名，製造メーカ名，型名，消耗品名，オプション品名の電気機器一覧表が表示される。
【００９１】
また、ユーザが、図１１（ａ）に示す電気機器製品ＩＤ読取り機能付き携帯電話機１の表示部１０Ａの表示画面１１に表示された電気機器一覧表からノート型パソコン６を選択すると、電気機器製品ＩＤ読取り機能付き携帯電話機１の表示部１０Ａの表示画面１１には、図１１（ｂ）に示すように、メモ帳付きデータベース１０Ｉに格納したＩＤチップ付き電気機器２のノート型パソコン６の製品ＩＤ情報である製品名，製造メーカ名，型名，製造番号，消耗品名，消耗品の品番，消耗品の販売価格，オプション品名，オプション品の品番，オプション品の販売価格，購入年月日，購入店名などのパソコン仕様一覧が表示される。
【００９２】
さらに、ＩＤチップ付き電気機器２の製品の消耗品やオプション品を購入する場合に、ユーザは電気機器製品ＩＤ読取り機能付き携帯電話機１を携帯して販売店に行き、ＩＤチップ付き電気機器２の製品を購入するその場所で直ちに、ＩＤチップ付き電気機器２の製品の製品ＩＤ情報を必要に応じて電気機器製品ＩＤ読取り機能付き携帯電話機１のメモ帳付きデータベース１０Ｉから読出し、メモ帳付きデータベース１０Ｉから読出したＩＤチップ付き電気機器２の製品の製品ＩＤ情報を電気機器製品ＩＤ読取り機能付き携帯電話機１の表示部１０Ａの表示画面１１に表示させれば、ユーザがＩＤチップ付き電気機器２の製品の型名に適合した製造メーカの指定する消耗品やオプション品を目で確認することができる。
【００９３】
ユーザは、販売店から購入したＩＤチップ付き電気機器２の製品の製品ＩＤ情報を電気機器製品ＩＤ読取り機能付き携帯電話機１のメモ帳付きデータベース１０Ｉにより管理することができる。
【００９４】
図１２は本発明の電気機器製品ＩＤ読取り機能付き携帯電話機によるＩＤチップ付き電気機器の製品の製品本体に付設したＩＤチップの読み出し専用メモリに登録された製品ＩＤ情報の読取り時の処理フロー図である。
ステップＳ１００でスタートした処理は、電気機器製品ＩＤ読取り機能付き携帯電話機１によるＩＤチップ付き電気機器２の製品の製品本体に付設したＩＤチップ３のＲＯＭに登録された製品ＩＤ情報の読取り時に、まず、ステップＳ１０１でユーザが電気機器製品ＩＤ読取り機能付き携帯電話機１の電源をＯＮにすると、ＩＤチップ読取り機能，製品ＩＤ情報読出し機能を含む選択可能な各種の機能または選択可能な項目の一覧のメニューを電気機器製品ＩＤ読取り機能付き携帯電話機１の表示部１０Ａの表示画面１１に表示する。
【００９５】
次いで、ステップＳ１０２でユーザが電気機器製品ＩＤ読取り機能付き携帯電話機１の表示部１０Ａの表示画面１１に表示されたメニューの中からＩＤチップ読取り機能を操作部１０Ｂの操作ボタン１５により選択すると、電気機器製品ＩＤ読取り機能付き携帯電話機１のＩＤチップ読取り部１０Ｃを自動的にＯＮにセットし、次いで、ステップＳ１０３で電気機器製品ＩＤ読取り機能付き携帯電話機１のＩＤチップ読取り部１０Ｃが購入したＩＤチップ付き電気機器２の製品の製品本体に付設したＩＤチップ３のＲＯＭに登録された製品ＩＤ情報を正常に読取ったか否かを判断する。
【００９６】
ステップＳ１０３において、電気機器製品ＩＤ読取り機能付き携帯電話機１のＩＤチップ読取り部１０Ｃが購入したＩＤチップ付き電気機器２の製品の製品本体に付設したＩＤチップ３のＲＯＭに登録された製品ＩＤ情報を正常に読取った場合は、ステップＳ１０４に移行し、ステップＳ１０４で電気機器製品ＩＤ読取り機能付き携帯電話機１の編集部１０ＤがＩＤチップ３のＲＯＭから読取ったＩＤチップ付き電気機器２の製品の製品ＩＤ情報を製品仕様一覧の形式に編集し、次いで、ステップＳ１０５で編集したＩＤチップ付き電気機器２の製品の製品ＩＤ情報を電気機器製品ＩＤ読取り機能付き携帯電話機１の表示部１０Ａと通信制御部１０Ｅとメモ帳付きデータベース１０Ｉに出力し、次いで、ステップＳ１０６で編集したＩＤチップ付き電気機器２の製品の製品ＩＤ情報を表示するか否かを判断する。
【００９７】
ステップＳ１０６において、編集したＩＤチップ付き電気機器２の製品の製品ＩＤ情報を表示する場合は、ステップＳ１０７に移行し、ステップＳ１０７で編集したＩＤチップ付き電気機器２の製品の製品ＩＤ情報の内容を電気機器製品ＩＤ読取り機能付き携帯電話機１の表示部１０Ａの表示画面１１に表示し、次いで、ステップＳ１０８で編集したＩＤチップ付き電気機器２の製品の製品ＩＤ情報を送信指定するか否かを判断する。
【００９８】
ステップＳ１０６において、編集したＩＤチップ付き電気機器２の製品の製品ＩＤ情報を表示しない場合は、ステップＳ１０８に移行し、ステップＳ１０８で編集したＩＤチップ付き電気機器２の製品の製品ＩＤ情報を送信指定するか否かを判断する。
【００９９】
ステップＳ１０８において、編集したＩＤチップ付き電気機器２の製品の製品ＩＤ情報を送信指定する場合は、ステップＳ１０９に移行し、ステップＳ１０９で編集したＩＤチップ付き電気機器２の製品の製品ＩＤ情報を電気機器製品ＩＤ読取り機能付き携帯電話機１の通信制御部１０Ｅから指定した転送先のパソコン（ＰＣ）に送信し、次いで、ステップＳ１１０でパソコンがＩＤチップ３のＲＯＭから読取ったＩＤチップ付き電気機器２の製品の製品ＩＤ情報を転送先のデータベース（ＤＢ）に登録し、次いで、ステップＳ１１１で編集したＩＤチップ付き電気機器２の製品の製品ＩＤ情報を格納するか否かを判断する。
【０１００】
ステップＳ１０８において、編集したＩＤチップ付き電気機器２の製品の製品ＩＤ情報を送信指定しない場合は、ステップＳ１１１に移行し、ステップＳ１１１で編集したＩＤチップ付き電気機器２の製品の製品ＩＤ情報を格納するか否かを判断する。
【０１０１】
ステップＳ１１１において、編集したＩＤチップ付き電気機器２の製品の製品ＩＤ情報を格納する場合は、ステップＳ１１２に移行し、ステップＳ１１２で編集したＩＤチップ付き電気機器２の製品の製品ＩＤ情報を電気機器製品ＩＤ読取り機能付き携帯電話機１のメモ帳付きデータベース１０Ｉに格納し、次いで、ステップＳ１１３で次の購入したＩＤチップ付き電気機器２の製品の製品本体に付設したＩＤチップ３のＲＯＭに登録された製品ＩＤ情報の読取り指定であるか否かを判断する。
【０１０２】
ステップＳ１１１において、編集したＩＤチップ付き電気機器２の製品の製品ＩＤ情報を格納しない場合は、ステップＳ１１３に移行し、ステップＳ１１３で次の購入したＩＤチップ付き電気機器２の製品の製品本体に付設したＩＤチップ３のＲＯＭに登録された製品ＩＤ情報の読取り指定であるか否かを判断する。
【０１０３】
ステップＳ１０３において、電気機器製品ＩＤ読取り機能付き携帯電話機１のＩＤチップ読取り部１０Ｃが購入したＩＤチップ付き電気機器２の製品の製品本体に付設したＩＤチップ３のＲＯＭに登録された製品ＩＤ情報を正常に読取っていない場合は、ステップＳ１１４に移行し、ステップＳ１１４でＩＤチップ３のＲＯＭから読取ったＩＤチップ付き電気機器２の製品の製品ＩＤ情報の読取りのエラー情報を電気機器製品ＩＤ読取り機能付き携帯電話機１の表示部１０Ａに出力し、次いで、ステップＳ１１５でエラー情報の内容を電気機器製品ＩＤ読取り機能付き携帯電話機１の表示部１０Ａの表示画面１１に表示し、次いで、ステップＳ１１３に移行し、ステップＳ１１３で次の購入したＩＤチップ付き電気機器２の製品の製品本体に付設したＩＤチップ３のＲＯＭに登録された製品ＩＤ情報の読取り指定であるか否かを判断する。
【０１０４】
ステップＳ１１３において、次の購入したＩＤチップ付き電気機器２の製品の製品本体に付設したＩＤチップ３のＲＯＭに登録された製品ＩＤ情報の読取り指定である場合は、ステップＳ１０３に復帰し、ステップＳ１０３で電気機器製品ＩＤ読取り機能付き携帯電話機１のＩＤチップ読取り部１０Ｃが購入したＩＤチップ付き電気機器２の製品の製品本体に付設したＩＤチップ３のＲＯＭに登録された製品ＩＤ情報を正常に読取ったか否かを判断する。
【０１０５】
なお、ＩＤチップ付き電気機器の製品の製品本体に付設するＲＯＭを備えた粉末状のＩＤチップの数は１個に限定されるものではなく、複数個のＩＤチップをＩＤチップ付き電気機器の製品の製品本体に埋め込んで設けても良く、また、複数個のＩＤチップをＩＤチップ付き電気機器の製品の製品本体に貼付した銘板に埋め込んで設けても良い。
【０１０６】
【発明の効果】
以上に述べたように、本発明の電気機器製品ＩＤ読取り機能付き携帯電話機によれば、ＩＤチップ付き電気機器の製品を購入するに際し、ＩＤチップ読取り部を購入したＩＤチップ付き電気機器の製品の製品本体に付設された読み出し専用メモリを備えたＩＤチップに近付けるのみで、ＩＤチップ読取り部がＩＤチップ付き電気機器の製品の製品本体に付設したＩＤチップの読み出し専用メモリに登録された各種の製品ＩＤ情報を電波で読取るので、携帯電話機所持者であるユーザがＩＤチップ付き電気機器の製品を購入する販売店のその場所で直ちに、購入したＩＤチップ付き電気機器の製品の製品ＩＤ情報をＩＤチップの読み出し専用メモリからＩＤチップ読取り部により読取って確実に得ることができる。
また、編集部がＩＤチップの読み出し専用メモリから読取ったＩＤチップ付き電気機器の製品の製品ＩＤ情報を製品仕様一覧の形式及び電気機器一覧表の形式に編集するので、購入したＩＤチップ付き電気機器の製品の製品ＩＤ情報を編集部により製品仕様一覧及び電気機器一覧表の形に整えることができ、表示制御部が編集されたＩＤチップ付き電気機器の製品の製品ＩＤ情報の内容を製品仕様一覧として表示部の表示画面に表示させるので、ユーザが表示部の表示画面に表示された購入したＩＤチップ付き電気機器の製品の製品ＩＤ情報の内容を目視により参照することができ、表示部の表示画面に表示されたメニューの中から製品ＩＤ情報読出し機能を操作部の操作ボタンで選択するのみで、表示制御部がメモ帳付きデータベースに格納されたＩＤチップ付き電気機器の製品の製品ＩＤ情報の電気機器一覧表を表示部の表示画面に表示させるので、ユーザが表示部の表示画面に表示された購入したＩＤチップ付き電気機器の製品の製品ＩＤ情報の電気機器一覧表を目視で確認することができる。
さらに、各種制御部が編集されたＩＤチップ付き電気機器の製品の製品ＩＤ情報をメモ帳付きデータベースに格納するので、購入したＩＤチップ付き電気機器の製品の製品ＩＤ情報をメモ帳付きデータベースにより自己管理することができ、しかも、ユーザが購入したＩＤチップ付き電気機器の製品の取扱説明書を紛失してしまった場合でも、購入したＩＤチップ付き電気機器の製品の製品ＩＤ情報がメモ帳付きデータベースに格納されているので、ユーザの必要に応じてＩＤチップ付き電気機器の製品の製品ＩＤ情報をメモ帳付きデータベースから読出して容易に確認することができる。
【０１０７】
本発明の電気機器製品ＩＤ読取り機能付き携帯電話機によれば、ＩＤチップの読み出し専用メモリに登録された各種の製品ＩＤ情報がＩＤチップ付き電気機器の製品の製造メーカ名，製品名，型名，製造番号，消耗品名，消耗品の品番，消耗品の販売価格，オプション品名，オプション品の品番，オプション品の販売価格，購入年月日，購入店名などの情報を有しているので、ＩＤチップ付き電気機器の製品の各種の製品ＩＤ情報を製品管理に有効利用することができ、ユーザが必要なＩＤチップ付き電気機器の製品の消耗品やオプション品を購入したい場合に、メモ帳付きデータベースから読出したＩＤチップ付き電気機器の製品の製品ＩＤ情報を表示部の表示画面に表示させれば、ＩＤチップ付き電気機器の製品の型名に適合した消耗品やオプション品を間違えることなく指定して購入することができる。
【０１０８】
本発明の電気機器製品ＩＤ読取り機能付き携帯電話機によれば、電源をＯＮにするのみで、表示制御部がＩＤチップ読取り機能，製品ＩＤ情報読出し機能を含む選択可能な各種の機能または選択可能な項目の一覧のメニューを表示部の表示画面に表示させるので、表示部の表示画面に表示されたメニューの中からＩＤチップ読取り機能や製品ＩＤ情報読出し機能を操作部で自由に選択することができる。
【０１０９】
本発明の電気機器製品ＩＤ読取り機能付き携帯電話機によれば、表示部の表示画面に表示されたメニューの中からＩＤチップ読取り機能を操作部の操作ボタンで選択するのみで、各種制御部がＩＤチップ読取り部を自動的にＯＮにセットするので、ＩＤチップ付き電気機器の製品の製品本体に付設したＩＤチップの読み出し専用メモリからのＩＤチップ読取り部による製品ＩＤ情報の読取りを行える状態とすることができる。
【０１１１】
本発明の電気機器製品ＩＤ読取り機能付き携帯電話機によれば、表示部の表示画面に表示された電気機器一覧表の中から参照したいＩＤチップ付き電気機器の製品を操作部の操作ボタンで選択するのみで、表示制御部が選択されたＩＤチップ付き電気機器の製品の製品ＩＤ情報の内容を表示部の表示画面に表示させるので、ユーザが表示部の表示画面に表示された選択したＩＤチップ付き電気機器の製品の製品ＩＤ情報の内容を目視で確認することができる。
【０１１２】
本発明の電気機器製品ＩＤ読取り機能付き携帯電話機によれば、通信制御部がＩＤチップの読み出し専用メモリから読取ったＩＤチップ付き電気機器の製品の製品ＩＤ情報を必要に応じて指定した転送先に送信するので、購入したＩＤチップ付き電気機器の製品の製品ＩＤ情報を転送先で管理することができる。
【図面の簡単な説明】
【図１】本発明の実施の形態に係わる折り畳み型の電気機器製品ＩＤ読取り機能付き携帯電話機を示す正面図。
【図２】本発明の実施の形態に係わる折り畳みタイプの電気機器製品ＩＤ読取り機能付き携帯電話機を示すシステム構成図。
【図３】本発明の電気機器製品ＩＤ読取り機能付き携帯電話機により管理するＩＤチップ付き電気機器の一例を示す構成図。
【図４】本発明の電気機器製品ＩＤ読取り機能付き携帯電話機により管理するＩＤチップ付き電気機器の一例を示す背面図。
【図５】本発明の電気機器製品ＩＤ読取り機能付き携帯電話機により管理するＩＤチップ付き電気機器の一例を示す構成図。
【図６】本発明の電気機器製品ＩＤ読取り機能付き携帯電話機により管理するＩＤチップ付き電気機器の一例を示す底面図。
【図７】本発明の電気機器製品ＩＤ読取り機能付き携帯電話機により管理するＩＤチップ付き電気機器の一例を示す平面図。
【図８】本発明の電気機器製品ＩＤ読取り機能付き携帯電話機により管理するＩＤチップ付き電気機器を示す平面図。
【図９】本発明の電気機器製品ＩＤ読取り機能付き携帯電話機により管理するＩＤチップ付き電気機器を示す正面図。
【図１０】本発明の電気機器製品ＩＤ読取り機能付き携帯電話機の表示部の表示画面に表示されたＩＤチップ付き電気機器の製品の製品ＩＤ情報の一例を示す説明図。
【図１１】本発明の電気機器製品ＩＤ読取り機能付き携帯電話機の表示部の表示画面に表示されたＩＤチップ付き電気機器の製品の製品ＩＤ情報の一例を示す説明図。
【図１２】本発明の電気機器製品ＩＤ読取り機能付き携帯電話機によるＩＤチップ付き電気機器の製品の製品本体に付設したＩＤチップに登録された製品ＩＤ情報の読取り時の処理フローチャート図。
【符号の説明】
１  電気機器製品ＩＤ読取り機能付き携帯電話機
２  ＩＤチップ付き電気機器
３  ＩＤチップ
４  プリンタ（製品）
５  銘板
６  ノート型パソコン（製品）
７  電気掃除機（製品）
８  電気髭剃り器（製品）
１０Ａ  表示部
１０Ｂ  操作部
１０Ｃ  ＩＤチップ読取り部
１０Ｄ  編集部
１０Ｅ  通信制御部
１０Ｆ  表示制御部
１０Ｇ  操作制御部
１０Ｈ  音声入出力部
１０Ｉ  メモ帳付きデータベース
１０Ｊ  音声入出力制御部
１０Ｋ  各種制御部
１０Ｌ  携帯電話機能部
１０Ｍ  全体制御部
１０Ｎ  電源制御部
１１  表示画面
１２  受話器
１３  伸縮式アンテナ
１４  表示パネル
１４ａ  バレル
１５  操作ボタン
１６  送話器
１７  操作パネル
１７ａ  バレル
１８  ヒンジピン
４０  プリンタ本体（製品本体）
４１  上壁
４２  表示
４３  表示
４４  バックプレート
４４ａ  表側面
５０  プレート本体
５０ａ  一側縁
５０ｂ  上縁
５１  コーナー部
５２  表面
５３  表示
５４  表示
５５  表示
６０  パソコン本体（製品本体）
６１  液晶パネル
６２  表示
６３  表示
６４  底面
７０  掃除機本体（製品本体）
７１  上壁
７２  表示
７３  表示
７４  上面
８０  髭剃り器本体（製品本体）
８１  前壁
８２  表示
８３  表示
【図１】
0003725512.tif 000002
【図２】
0003725512.tif 000003
【図３】
0003725512.tif 000004
【図４】
0003725512.tif 000005
【図５】
0003725512.tif 000006
【図６】
0003725512.tif 000007
【図７】
0003725512.tif 000008
【図８】
0003725512.tif 000009
【図９】
0003725512.tif 000010
【図１０】
0003725512.tif 000011
【図１１】
0003725512.tif 000012
【図１２】
0003725512.tif 000013